(57)【要約】【課題】エレベーター利用者をサーバーに登録する必要もなく、携帯端末器の簡単な操作で呼び登録できるようにする。【解決手段】エレベーターの行先階の呼び登録指令を送信する行先階登録サーバー２を設け、この登録サーバー２のＵＲＬと行先階情報を含んだ二次元コードを乗場に表示する。利用者が携帯端末器１で上記表示された二次元コードを撮像して携帯端末器１に入力すると、二次元コード解析手段５は、二次元コードを復号し、データ送信手段７はこれを行先階登録サーバー２へ送信する。これを登録サーバー２が受信すると、行先呼び登録指令を群管理制御装置３へ送信し、行先階の呼びが登録される。【選択図】      図１
2005194031.tif 000002
【特許請求の範囲】
【請求項１】
識別コードを入力してこの識別コードに対応するデータを送信する携帯端末器と、上記データを受信するとこのデータに含まれた乗場呼び及び行先呼びの登録指令を送信する行先階登録サーバーと、上記登録指令を受信してエレベーターの運転を制御する制御装置とを備え、上記識別コードとして二次元コードを用いたエレベーターの呼び自動登録システム。
【請求項２】
携帯端末器に、乗場呼び及び行先呼びのデータを含む二次元コードを入力する二次元コード入力手段と、上記二次元コードに含まれたデータを復号する二次元コード解析手段と、上記復号されたデータを送信するデータ送信手段とを設けたことを特徴とする請求項１記載のエレベーターの呼び自動登録システム。
【請求項３】
二次元コードを建物内の壁に表示し、携帯端末器は上記表示された二次元コードを撮像して入力するものとしたことを特徴とする請求項１または請求項２記載のエレベーターの呼び自動登録システム。
【請求項４】
二次元コードを含む画像を、エレベーターの乗場に設置された表示器に表示するものとしたことを特徴とする請求項１〜請求項3のいずれかに記載のエレベーターの呼び自動登録システム。
【請求項５】
二次元コードには、一般呼び及び車いす呼びに対応するデータを含むものとしたこを特徴とする請求項１〜請求項4のいずれかに記載のエレベーターの呼び自動登録システム。
【発明の詳細な説明】
【技術分野】
【０００１】
この発明は、エレベーターの呼びを携帯端末器から自動的に登録できるシステムに関するものである。
【背景技術】
【０００２】
従来のエレベーターの遠隔制御システムにおいては、エレベーターを運転制御するエレベーター制御装置と、インターネットを通じて前記エレベーターを遠隔制御するための携帯電話と、前記携帯電話からエレベーターの運転状況の監視のためのＵＲＬを要求されると、前記エレベーター制御装置に対して現在の運転状況を問い合わせて、取得した現在の運転状況情報を前記携帯電話へ送り、前記携帯電話に現在のエレベーターの運転状況を表示させるエレベーター用インターネットサーバとを備えている（例えば、特許文献１）。
【０００３】
【特許文献１】特開２００２−１１４４５６号公報（要約書、図１）
【発明の開示】
【発明が解決しようとする課題】
【０００４】
上記のような従来のエレベーターの遠隔制御システムでは、携帯電話による遠隔操作により、行きたい階への行先呼びを登録することができるが、エレベーター用インターネットサーバにアクセスする必要があり、携帯電話での操作手順が煩雑になるという問題点がある。
【０００５】
この発明は上記問題点を解消するためになされたもので、利用者をサーバーに登録する必要もなく、携帯端末器の簡単な操作で行先呼びを登録できるようにしたエレベーターの呼び自動登録システムを提供することを目的とする。
【課題を解決するための手段】
【０００６】
この発明に係るエレベーターの呼び自動登録システムは、識別コードを入力してこの識別コードに対応するデータを送信する携帯端末器と、データを受信するとこのデータに含まれる乗場呼び及び行先呼びの登録指令を送信する行先階登録サーバーと、上記登録指令を受信してエレベーターの運転を制御する制御装置とを備え、識別コードとして二次元コードを用いたものである。
【発明の効果】
【０００７】
この発明では、携帯端末器に二次元コードを入力するだけで、行先階の呼びを登録するようにしたので、簡単な操作で行先階の呼びを自動登録することができる。また、利用者のサーバーへの事前登録は不要であるので、だれでも容易に利用することができる。
【発明を実施するための最良の形態】
【０００８】
実施の形態１．
図１〜図５は、この発明の第１〜第３発明の一実施の形態を示す図で、図１は全体構成図、図２は二次元コードのイメージ図、図３は携帯端末器の動作フローチャート、図４は行先階登録サーバーの動作フローチャート、図５は群管理制御装置の動作フローチャートである。
【０００９】
図１において、個人が所持する携帯端末器１と、携帯端末器１から送信される行先呼び階データを受信して、行先呼び階の登録指令を送信する行先階登録サーバー２と、行先階登録サーバー２から送信される行先呼び階の登録指令を受信して、各号機（かご）に制御信号を送信する群管理制御装置３が設置されている。
【００１０】
携帯端末器１は二次元コード入力手段４を有し、乗場の案内板に表示されている図２に示す二次元コード４Ａを入力する。なお、二次元コード４Ａは横一列にデータが並んでいるバーコード（一次元コード）に対し、面で情報を持つ自動認識コードであり、バーコードに比して格段に情報密度が高いことで知られている。二次元コード解析手段５は二次元コード入力手段４から送出された二次元コード４Ａを復号し、復号した結果のうち行先階登録サーバー２のＵＲＬの情報をアクセス手段６へ送信する。
【００１１】
アクセス手段６は二次元コード解析手段５から受信したＵＲＬに基づいて、携帯端末器１を行先階登録サーバ２に接続する機能を持つ。また、二次元コード解析手段５は上記ＵＲＬの情報以外のデータをデータ送信手段７へ送信する。そして、データ送信手段７は二次元コード解析手段５から受信したデータを、接続先である行先階登録サーバー２へ送信する。
また、行先階登録サーバー２は、データ受信手段８、データ解析手段９及び行先呼び登録手段１０により構成され、行先呼び登録手段１０は群管理制御装置３に接続されている。
【００１２】
次に、この実施の形態の動作を図１〜図５を参照して説明する。
（１）携帯端末器１の動作（図２及び図３）
ステップＳ１でエレベーターの利用者は、乗場に表示されている案内板から、自分の行きたい店などを選択し、そこに記載されている二次元コード４Ａを、二次元コード入力手段４によって携帯端末器１へ入力する。例えば、携帯端末器１に付属したカメラなどで撮像して入力する。
二次元コードの一例を図２に示す。ここでは、行先階登録サーバー２のＵＲＬ（ｗｗｗ．ｓｅｒｖｅｒ．ｃｏｍ）、行先階データ（１５）、この二次元コードが表示されている階床（５）、この二次元コードが表示されている場所から一番近くにあり、かつ、行先階データが示す階床（図２では１５階）に行くことができるエレベーターのグループ番号（２）が含まれている。
【００１３】
次に、ステップＳ２では、二次元コード解析手段５で、上記入力された二次元コード４Ａを復号して解析し、行先階登録サーバ２のＵＲＬの情報をアクセス手段６に、それ以外のデータをデータ送信手段７に送信する。ステップＳ３でアクセス手段６によって、携帯端末器１を行先階登録サーバー２（ｗｗｗ．ｓｅｒｖｅｒ．ｃｏｍ）に接続する。次に、ステップＳ４でデータ送信手段７から行先階データ、現在階床データ及びグループデータを行先階登録サーバ２に送信し、ステップＳ５で行先階登録サーバ２との通信を切断する。
【００１４】
（２）行先階登録サーバ２の動作（図４）
ステップＳ１１で携帯端末器１からの接続要求に応答して、携帯端末器１との通信を確立する。ステップＳ１２でデータ受信手段８で携帯端末器１から行先階、現在（表示）階床及びグループの各データを受信する。そして、ステップＳ１３では、ステップＳ１２で受信したデータをデータ解析手段９で解析して、行先呼び登録指令手段１０へ送り、上記解析で得られたグループデータ値（この例では「２」）に属する群管理制御装置３に対して、行先階データ及び現在階床データを送信する。
【００１５】
（３）群管理制御装置３の動作（図５）
ステップＳ２１で行先階登録サーバー２から行先階データ及び現在階床データを受信する。ステップＳ２２で行先階と現在階床の差が零よりも大きいか判断する。この実施の形態の場合、行先階（１５）の方が現在階床（５）よりも大きいので、ステップＳ２３へ進み、現在階床である５階の乗場に上り呼びを登録する。次に、ステップＳ２４で５階の乗場の上り呼びに応答したエレベーターに乗客が乗ったかを判定する。
【００１６】
乗客の乗込みがなかったと判定すると、ステップＳ２５で上り呼びに応答したエレベーターが到着してから、１分間経過したかを判断し、１分間経過していない場合は、ステップＳ２４へ戻る。乗客の乗込みがあったと判定すると、ステップＳ２６で乗客が乗り込んだエレベーターに対して、行先階（この場合１５階）への行先呼びを登録する。１分経過しても乗客の乗り込みがなかった場合は処理を中止する。
【００１７】
また、ステップＳ２２で行先階の方が現在階床よりも小さいと判断した場合は、ステップＳ２７へ進み、現在階床の乗場に下り呼びを登録し、以下同様に、ステップＳ２８，Ｓ２９，Ｓ２６でエレベーターへの乗客の乗込みを判断して、行先階への行先呼びを登録する。
ここで、ステップＳ１は二次元コード入力手段を、ステップＳ２は二次元コード解析手段を、ステップＳ４は、データ送信手段を構成している。
【００１８】
このようにして、乗場に表示された二次元コード４Ａを携帯端末器に入力するだけで、行先呼びを自動登録することが可能となる。
また、行先階データは、乗場に表示されている二次元コード４Ａに設定されているため、行きたい階用の二次元コードを選択して携帯端末器１に入力することにより、希望の階床へ行くことが可能となる。また、利用者は行先階登録サーバー２に対して事前に登録することは不要であるので、だれでも簡単に利用することが可能となる。
【００１９】
実施の形態２．
図６はこの発明の第４発明の一実施の形態を示すエレベーターの乗場出入口正面図である。なお、図１〜図５は実施の形態２にも共用する。
実施の形態１では、行先階データを含んだ二次元コード４Ａを、乗場の案内板に表示するものとしたが、実施の形態２では、これをテナントの広告用の表示器に表示するようにしたものである。
すなわち、例えば玄関階等のエレベーター乗場出入口１５の近傍の壁に表示器１６を設置し、この表示器１６に二次元コード４Ａを含んだテナントの広告を表示するようにしたものであり、実施の形態１と同様の効果を得ることが可能となる。
【００２０】
実施の形態３
図７はこの発明の第５発明の一実施の形態を示す二次元コードのイメージ図で、（Ａ）は一般呼び用、（Ｂ）は車いす運転呼び用である。
なお、図１〜図５は実施の形態２にも共用する。
この実施の形態では、一般呼びの登録には、図７（Ａ）に示すように行先階データ、現在階床データ及びエレベーターのグループデータを設定した二次元コード４Ａを用い、車いす運転呼びの登録には、図７（Ｂ）に示すように、一般呼び用のデータの外に、他の属性例えば身体障害者用などの属性を設定した二次元コード４Ｂを用いるものである。
【００２１】
このようにして、一般呼びの登録又は車いす運転呼びの登録を同じ操作手順で実行することが可能となる。
また、図８に乗場のテナントの広告用の案内板１７に、一般呼び用二次元コード４Ａ及び車いす運転呼び用二次元コード４Ｂを表示した例を示す。
【図面の簡単な説明】
【００２２】
【図１】この発明の実施の形態１を示す全体構成図。
【図２】この発明の実施の形態１を示す二次元コードのイメージ図。
【図３】この発明の実施の形態１を示す携帯端末器の動作フローチャート。
【図４】この発明の実施の形態１を示す行先階登録サーバーの動作フローチャート。
【図５】この発明の実施の形態１を示す群管理制御装置の動作フローチャート。
【図６】この発明の実施の形態２を示すエレベーターの乗場出入口正面図。
【図７】この発明の実施の形態３を示す二次元コードのイメージ図で、（Ａ）は一般呼び用、（Ｂ）は車いす運転呼び用。
【図８】この発明の実施の形態３を示す案内板のイメージ図。
【符号の説明】
【００２３】
１  携帯端末器、２  行先階登録サーバー、３  群管理制御装置、４  二次元コード入力手段、４Ａ，４Ｂ  二次元コード、５  二次元コード解析手段、７  データ送信手段、１６  表示器、１７  案内板。
Ｓ１  二次元コード入力手段、Ｓ２  二次元コード解析手段、Ｓ４  データ送信手段。
【図１】
2005194031.tif 000003
【図２】
2005194031.tif 000004
【図３】
2005194031.tif 000005
【図４】
2005194031.tif 000006
【図５】
2005194031.tif 000007
【図６】
2005194031.tif 000008
【図７】
2005194031.tif 000009
【図８】
2005194031.tif 000010